(57)【要約】【課題】可動物の動作にエラーが生じても、遊技者に当落の結果を誤認させる可能性を低減できる遊技機を提供する。【解決手段】パチンコ機はルーレット表示器をもちいた特定報知演出を実行する。ルーレット表示器は、ＬＥＤの発光動作に応じて絵柄を表示する表示部を複数備える表示体と、表示体の前側を回転移動し、複数の表示部のいずれかを選択する動作を行う指示体とを備える。指示体の動作に何らかの不具合（エラー）が生じた場合に、ＣＰＵは、指示体エラー処理を実行する。ＣＰＵは、ルーレット表示器の表示部における絵柄の表示内容を、正常な状態の表示内容からエラー状態中の表示内容に変更した後（Ｓ１１６）、駆動モータの駆動を停止する（Ｓ１１８）。【選択図】図２０
2020089434.tif 000002
【特許請求の範囲】
【請求項１】
所定条件の成立に基づいて、遊技者にとって有利な特別遊技を実行するか否かを判定する判定手段と、
発光体と可動物とを備え、前記発光体の発光動作と前記可動物の駆動動作との組合せによって前記判定手段による判定結果を報知する演出である報知演出を実行する報知演出実行手段と、
前記判定手段による判定の結果に応じた前記報知演出を前記報知演出実行手段に実行させる報知演出制御手段と、
前記報知演出制御手段によって前記報知演出が制御されている間に、前記可動物の駆動動作が正常に行われているかを判断する駆動判断手段と、
前記駆動判断手段によって前記可動物の駆動動作が正常に行われていないと判断された場合、前記発光体の発光動作を、前記駆動判断手段によって前記可動物の駆動動作が正常に行われていないと判断される前における発光動作から変更する発光変更手段と
を備えたことを特徴とする遊技機。
【請求項２】
前記発光変更手段は、前記発光体の発光動作を停止することで、前記発光体の発光動作を変更することを特徴とする請求項１に記載の遊技機。
【請求項３】
前記駆動判断手段によって前記可動物の駆動動作が正常に行われていないと判断された場合、前記発光変更手段によって前記発光体の発光動作が変更された後に、前記可動物の駆動動作を停止する駆動停止手段を備えたことを特徴とする請求項１又は２に記載の遊技機。
【請求項４】
前記駆動判断手段によって前記報知演出の実行中に前記可動物の駆動動作が中断されていると判断された場合、特定の動作を前記可動物に実行させる特定動作実行手段を備え、
前記駆動停止手段は、前記特定動作実行手段によって前記特定の動作が実行された回数が所定の回数以上となった場合に、前記可動物の駆動動作を停止することを特徴とする請求項３に記載の遊技機。
【発明の詳細な説明】
【技術分野】
【０００１】
本発明は、演出に応じて動作可能な可動物を備える遊技機に関する。
【背景技術】
【０００２】
従来、演出に応じて動作可能な可動物を備える遊技機が知られている。特許文献１に開示された遊技機は、展開演出部が収納状態と展開状態とに相互に移行する可動役物を備える。収納状態では、旋回刃の根元部が原点位置に配置される。フォトセンサによって根元部が検出されると（原点検出がされると）、ＣＰＵは展開演出部が収納状態であることを認識する。展開演出部が展開状態から収納状態に移行する際、ＣＰＵは、原点検出があるかを判断する。原点検出がない場合、ＣＰＵは、あらかじめ設定された特別動作（リトライ）を実行する。リトライ回数が閾値よりも大きくなっても原点検出がない場合、ＣＰＵは、可動役物の動作にエラーが生じていることを周囲に知らせるためのエラー処理を実行する。
【先行技術文献】
【特許文献】
【０００３】
【特許文献１】特開２０１６−３６５１３号公報
【発明の概要】
【発明が解決しようとする課題】
【０００４】
例えば、可動物が遊技機の判定の当落の結果を報知するために用いられる場合等には、上記のようなエラー処理が実行されたとしても、可動物の予期せぬ動作によって遊技者に当落の結果を誤認させる可能性があるといった問題がある。
【０００５】
本発明は、可動物の動作にエラーが生じても、遊技者に当落の結果を誤認させる可能性を低減できる遊技機を提供することを目的とする。
【課題を解決するための手段】
【０００６】
本発明に係る遊技機は、所定条件の成立に基づいて、遊技者にとって有利な特別遊技を実行するか否かを判定する判定手段と、発光体と可動物とを備え、前記発光体の発光動作と前記可動物の駆動動作との組合せによって前記判定手段による判定結果を報知する演出である報知演出を実行する報知演出実行手段と、前記判定手段による判定の結果に応じた前記報知演出を前記報知演出実行手段に実行させる報知演出制御手段と、前記報知演出制御手段によって前記報知演出が制御されている間に、前記可動物の駆動動作が正常に行われているかを判断する駆動判断手段と、前記駆動判断手段によって前記可動物の駆動動作が正常に行われていないと判断された場合、前記発光体の発光動作を、前記駆動判断手段によって前記可動物の駆動動作が正常に行われていないと判断される前における発光動作から変更する発光変更手段とを備える。
【０００７】
本発明に係る遊技機は、発光体の発光動作と可動物の駆動動作との組合せによって報知演出を実行する報知演出実行手段を備える。報知演出の実行中に、稀に、可動物の駆動動作に不具合が生じる場合がある。この不具合によって、可動物の駆動動作が予期しない位置に配置される等した場合、発光体の発光動作と可動物の駆動動作との組合せが判定手段による判定結果に反する内容になれば、遊技者に判定結果を誤認させる可能性がある。本発明に係る遊技機は、駆動判断手段によって可動物の駆動動作が正常に行われていないと判断される場合に、発光体の発光動作を、可動物の駆動動作が正常に行われていないと判断される前の発光動作から変更する。これにより、発光体の発光動作と可動物の駆動動作との組合せが判定結果に反する内容になることを回避することができる。したがって、本発明に係る遊技機は、可動物の動作にエラーが生じても、遊技者に当落の結果を誤認させる可能性を低減できる。
【０００８】
前記発光変更手段は、前記発光体の発光動作を停止することで、前記発光体の発光動作を変更してもよい。
【０００９】
この場合、遊技機は、報知演出の実行中に可動物の駆動動作に不具合が生じた場合等には、発光体の発光動作を停止して、遊技者の注目を報知演出実行手段からそらすことができる。また、発光体の発光動作が停止することにより、発光体の発光動作と可動物の駆動動作との組合せが成立しないので、遊技機は、遊技者が判定結果を誤認するような状況を回避できる。したがって、遊技機は、遊技者に当落の結果を誤認させる可能性を低減できる。
【００１０】
前記遊技機は、前記駆動判断手段によって前記可動物の駆動動作が正常に行われていないと判断された場合、前記発光変更手段によって前記発光体の発光動作が変更された後に、前記可動物の駆動動作を停止する駆動停止手段を備えてもよい。
【００１１】
仮に、発光体の発光動作が変更される前の段階において可動物の駆動動作が停止されると、可動物が予期しない位置に配置されたまま停止すること等によって、発光体の発光動作と可動物の配置との組合せが判定結果に反する内容になる可能性がある。遊技機は、発光体の発光動作を変更した後に可動物の駆動動作を停止するので、発光体の発光動作と可動物の駆動動作との組合せが判定結果に反する内容になることを回避することができる。
【００１２】
前記遊技機は、前記駆動判断手段によって前記報知演出の実行中に前記可動物の駆動動作が中断されていると判断された場合、特定の動作を前記可動物に実行させる特定動作実行手段を備え、前記駆動停止手段は、前記特定動作実行手段によって前記特定の動作が実行された回数が所定の回数以上となった場合に、前記可動物の駆動動作を停止してもよい。
【００１３】
可動物の駆動動作に不具合が生じた場合、可動物の駆動源のトルクを変更したり、可動物の駆動動作を通常とは異なる動作にしたりする等、可動物に特定の動作を実行させることで、不具合が解消することがある。遊技機は、可動物に特定の動作を所定回数以上実行させた場合にも、発光体の発光動作を変更させた後に、可動物の特定の動作を終了させるので、可動物の特定の動作と発光体の発光動作との組合せが判定結果に反する内容になることを回避することができる。
【図面の簡単な説明】
【００１４】
【図１】パチンコ機１の正面図である。
【図２】遊技盤２の正面図である。
【図３】７セグ表示器２８が中央位置に配置されたセンター飾りユニット８０の正面図である。
【図４】７セグ表示器２８が下降位置に配置されたセンター飾りユニット８０の正面図である。
【図５】ルーレット表示器３０の分解斜視図である。
【図６】ルーレット表示器３０の分解斜視図である。
【図７】ルーレット体３００の斜視図である。
【図８】指示体３６が第一表示部Ｈａを指示した状態のルーレット体３００の正面図である。
【図９】指示体３６が回転する様子を説明するための説明図である。
【図１０】指示体３６が回転する様子を説明するための説明図である。
【図１１】指示体３６が回転する様子を説明するための説明図である。
【図１２】指示体３６が回転する様子を説明するための説明図である。
【図１３】指示体３６の回転位置と検知センサ３２による検知結果との関係を説明するための説明図である。
【図１４】パチンコ機１の電気的構成を示すブロック図である。
【図１５】主基板４１において行われるメイン処理のフローチャートである。
【図１６】サブ制御基板５８において行われるサブ制御基板処理のフローチャートである。
【図１７】サブ制御基板処理の中において行われる特定報知演出制御処理のフローチャートである。
【図１８】サブ制御基板処理の中において行われる指示体駆動処理のフローチャートである。
【図１９】指示体駆動処理の中において行われる中断判断処理のフローチャートである。
【図２０】サブ制御基板処理の中において行われる指示体エラー処理のフローチャートである。
【発明を実施するための形態】
【００１５】
以下、本発明に係る遊技機の一実施形態であるパチンコ機１について、図面を参照して説明する。まず、図１及び図２を参照して、パチンコ機１の機械的構成について説明する。以下の説明では、図１の手前側、奥側、上側、下側、左側、及び右側を、それぞれ、パチンコ機１の前側、後側、上側、下側、左側、及び右側とする。パチンコ機１は、いわゆる一種二種混合タイプの遊技機であるが、本発明は、いわゆる一種タイプ、二種タイプ（羽根物タイプ）、特別図柄を有さない一般電役タイプ等、様々なタイプの遊技機に適用できる。
【００１６】
図１に示すように、パチンコ機１の上半分の部分には遊技盤２が設けられている。遊技盤２は正面視略正方形の板状であり（図２参照）、透明なガラス板を保持した前面枠１０によって前面を保護されている。遊技盤２の下部には上皿５が設けられている。上皿５は、遊技球発射装置３７（図１４参照）に金属製の遊技球を供給し、且つ賞球を受ける。上皿５の上面には、遊技者によって操作される操作ボタン９が設けられている。上皿５の直下には、賞球を受ける下皿６が設けられている。下皿６の右横には、遊技球の発射を調整する発射ハンドル７が設けられている。発射ハンドル７は、遊技者が回転操作できるように設けられており、遊技者が発射ハンドル７を回転させて発射操作を行うと、発射ハンドル７の回転角度に応じた強度で、遊技球発射装置３７によって遊技球が発射される。前面枠１０の上部の左右の角には、スピーカ４８がそれぞれ設けられている。
【００１７】
図２に示すように、遊技盤２の前面には、ガイドレール３で囲まれた略円形の遊技領域４が形成されている。ガイドレール３は、遊技領域４の左側に形成されている。遊技領域４の略中央には、各種演出を実行するセンター飾り８が設けられている。遊技球発射装置３７（図１４参照）によって発射された遊技球は、ガイドレール３によって遊技領域４へ導かれ、遊技領域４内を流下する。所定の強度未満の発射強度で発射された遊技球は、センター飾り８の左側を流下し、所定の強度以上で発射された遊技球は、センター飾り８の右側を流下する。以下、遊技球がセンター飾り８の左側を流下するように遊技球を発射することを「左打ち」と、遊技球がセンター飾り８の右側を流下するように遊技球を発射することを「右打ち」という。
【００１８】
センター飾り８は、７セグ表示器２８及びルーレット表示器３０を備える。ルーレット表示器３０は、センター飾り８の略中央に配置されている。７セグ表示器２８は、ルーレット表示器３０の前側に配置される。７セグ表示器２８は、７セグメントディスプレイのように数字を表示できる表示部を、左右に３つ並べて備える。７セグ表示器２８は、表示部のそれぞれに演出用の図柄である演出図柄を変動表示させた後に、後述する大当たり判定の結果を示す演出図柄の組合せを確定表示させることで、大当たり判定の結果を遊技者に報知する報知演出を実行可能である。詳細は後述するが、７セグ表示器２８は、図１及び図２に示す位置（以下、「中央位置」という。）と、中央位置よりも下降した下降位置（図４参照）との間を移動可能に構成されている。ルーレット表示器３０は、後述する第一表示部Ｈａ〜第八表示部Ｈｈの８つの表示部Ｈを備えており、７セグ表示器２８が下降位置にある場合に、表示部Ｈに表示される絵柄を用いて報知演出を実行する。７セグ表示器２８による報知演出の詳細については後述する。
【００１９】
センター飾りの略中央下方には、第一始動口１２が設けられている。第一始動口１２は、遊技球が入賞可能に構成された入賞口であり、第一特別図柄の始動口として機能する。センター飾り８の右方には、ゲート１１が設けられている。ゲート１１は、遊技球が通過可能に構成されており、普通図柄の作動ゲートとして機能する。
【００２０】
ゲート１１の下方には、第二始動口１３が設けられている。第二始動口１３は、遊技球が入賞可能に構成された入賞口であり、第二特別図柄の始動口として機能する。第二始動口１３は、第二始動口ソレノイド６９（図１４参照）によって電気的に作動される作動部材１３１を備える。作動部材１３１は、第二始動口１３の入口の下部において前後方向に延びる略平板状の部材である。作動部材１３１は、前端部を遊技盤２の前面よりも前方に突出させて第二始動口１３の入口の大きさを拡大することによって第二始動口１３への遊技球の入賞を可能にし、前端部を遊技盤２の前面と略同じ位置まで後方に退避させて第二始動口１３の入口の大きさを縮小することによって第二始動口１３への遊技球の入賞を阻害する。第二始動口１３は、いわゆる普通電動役物（普通当たり判定の結果に基づき入賞口の入口の大きさを変化する役物）に係る入賞口として構成されている。なお、第二始動口１３は、第二始動口１３の入口の大きさが縮小された縮小状態にも遊技球の入賞が可能であって、第二始動口１３の入口の大きさが拡大された拡大状態においては、縮小状態よりも遊技球が入賞容易となる構成であってもよい。
【００２１】
第二始動口１３の下方であり、センター飾り８の右下方には、第一大入賞口１６が設けられている。第一大入賞口１６は、いわゆる特別電動役物（大当たり判定の結果に基づき入賞口の入口の大きさを変化する役物）に係る入賞口として構成されている。第一大入賞口１６は、第一大入賞口ソレノイド７０（図１４参照）によって電気的に開閉される開閉部材１６１を備える。開閉部材１６１は、第一大入賞口１６の入口の上部において左右方向に長手方向を有して前後方向に延びる略平板状の部材である。開閉部材１６１は、前端部を遊技盤２の前面よりも前方に突出させて第一大入賞口１６の入口を上部から覆った閉鎖状態において第一大入賞口１６への遊技球の入賞を阻害し、前端部を遊技盤２の前面と略同じ位置まで後方に退避させることで第一大入賞口１６の入口を開放した開放状態において、第一大入賞口１６への遊技球の入賞を可能にする。本実施形態では、第一大入賞口１６は、後述する大当たり判定の結果が小当たりである場合に、小当たり遊技として開放状態と閉鎖状態とが切り替えられるように構成されている。
【００２２】
第一大入賞口１６の内部には、特定領域及び非特定領域（図示略）が設けられている。特定領域及び非特定領域は、第一大入賞口１６に入賞した遊技球のみが通過できる領域である。第一大入賞口１６に入賞した遊技球のうち、特定領域を通過しないものは、非特定領域を通過する。第一大入賞口１６に入賞した遊技球は、特定領域及び非特定領域のいずれかを通過した後、遊技領域４の外部へ排出される。
【００２３】
第一大入賞口１６の左下方であり、第一始動口１２の下方には、第二大入賞口１７が設けられている。第二大入賞口１７も、いわゆる特別電動役物に係る入賞口として構成されている。第二大入賞口１７は、第二大入賞口ソレノイド７１（図１４参照）によって電気的に作動される開閉部材１７１を備える。開閉部材１７１は、第二大入賞口１７の入口の右部において、左右方向に長手方向を有して前後方向に延びる略平板状の部材である。開閉部材１７１は、図１及び図２に示す閉鎖位置に配置された状態において第二大入賞口１７の入口に連結しない。また、開閉部材１７１が閉鎖位置に配置された状態において、第二大入賞口１７の入口を閉鎖する閉鎖部材（図示略）が配置されるので、閉鎖状態においては遊技球が第二大入賞口１７に遊技球が入賞しない。開閉部材１７１の左端部が第二大入賞口１７の入口に向けて左方にスライドされた開放状態においては、開閉部材１７１が第二大入賞口１７の入口に連結するとともに、閉鎖部材が第二大入賞口１７の入口を覆わない位置に退避するので、第二大入賞口１７への遊技球の入賞が可能になる。本実施形態では、第二大入賞口１７は、後述する大当たり遊技において閉鎖状態から開放状態に切り替わるように構成されている。
【００２４】
遊技領域４には、上記以外に、アウト口１８、その他の入賞口、各種の電飾部材及び遊技くぎ（図示略）等が設けられている。アウト口１８は、遊技盤２の下部に設けられている。第一始動口１２、第二始動口１３、第一大入賞口１６、第二大入賞口１７及びその他の入賞口のいずれにも入賞せず遊技領域４の下部まで流下した遊技球は、アウト口１８を通過した後、遊技領域４の外部へ排出される。
【００２５】
なお、遊技領域４において、各遊技部材が上記のように配設されるため、左打ちされた遊技球は、右打ちされた遊技球よりも、第一始動口１２を通過しやすい。また、右打ちされた遊技球は、左打ちされた遊技球よりも、ゲート１１、第二始動口１３、第一大入賞口１６を、通過又は入賞しやすい。また、第二大入賞口１７には、左打ちされた遊技球及び右打ちされた遊技球のいずれも入賞可能であるが、左打ちされた遊技球よりも、右打ちされた遊技球の方が第二大入賞口１７に入賞しやすくなるように遊技くぎ等が配置されている。左打ちされた遊技球が、ゲート１１、第二始動口１３、第一大入賞口１６を、通過又は入賞することは困難である。したがって、遊技者は、後述する小当たり遊技中、大当たり遊技中及び時短状態中には右打ちによって遊技を進め、それ以外の場合に左打ちによって遊技を進める。
【００２６】
遊技盤２の右下部には、図柄表示部２４が設けられている。図柄表示部２４は、第一特別図柄表示部、第二特別図柄表示部、普通図柄表示部、第一特別図柄記憶数表示ＬＥＤ、第二特別図柄記憶数表示ＬＥＤ及び普通図柄記憶数表示ＬＥＤを備える。第一特別図柄表示部及び第二特別図柄表示部は、ＬＥＤの点灯及び消灯によって第一大当たり判定及び第二大当たり判定の結果を表示する。以下、第一大当たり判定及び第二大当たり判定を総称する場合、又はいずれかを特定しない場合、大当たり判定ともいう。普通図柄表示部は、ＬＥＤの点灯及び消灯によって普通当たり判定の結果を表示する。第一特別図柄記憶数表示ＬＥＤは、第一大当たり判定の結果がまだ表示されていない遊技球の個数である第一保留球数を表示する。第二特別図柄記憶数表示ＬＥＤは、第二大当たり判定の結果がまだ表示されていない遊技球の個数である第二保留球数を表示する。普通図柄記憶数表示ＬＥＤは、普通当たり判定の結果がまだ表示されていない遊技球の個数である普通保留球数を表示する。
【００２７】
パチンコ機１には、大当たり遊技、小当たり遊技及び普通当たり遊技が設けられている。大当たり遊技は、大当たりであることを示す特別図柄が確定表示された場合、又は役物連続作動装置が作動していない状態で、遊技球が大入賞口（本実施形態では、第一大入賞口１６）の内部の特定領域を通過した場合に行われる。大当たり遊技が行われると、大入賞口（本実施形態では、第二大入賞口１７）に遊技球が入賞可能な状態になる。
【００２８】
パチンコ機１において、通常の遊技状態である通常状態において遊技が開始されたとする。通常状態において、遊技は左打ちで進行する。左打ちされた遊技球が第一始動口１２へ入賞すると、第一大当たり判定が行われ、第一特別図柄が変動表示を開始する。第一特別図柄の変動表示が終了すると、判定の結果を示す第一特別図柄が図柄表示部２４の第一特別図柄表示部に確定表示される。第一大当たり判定では、大当たり又ははずれのいずれかの判定結果が、第一大当たり乱数に基づいて導出される。第一大当たり判定によって大当たりであると判定されると、判定結果が大当たりであることを示す第一特別図柄が図柄表示部２４の第一特別図柄表示部に確定表示される。その後、第二大入賞口１７の開閉部材１７１が所定時間開放状態にされることが所定回数繰り返される大当たり遊技が実行される。大当たり遊技中は、右打ちで遊技が進行する。
【００２９】
大当たり遊技の終了後には、所定の割合で時短状態が生起される。時短状態は、通常状態に対して普通図柄の変動時間の短縮（変動短縮）、普通当たり遊技において第二始動口１３の作動部材１３１が拡大状態になる時間の延長（開放延長）等が行われることで、通常状態よりも第二始動口１３の作動部材１３１が拡大状態になりやすい状態である。時短状態中は、右打ちで遊技が進行する。右打ちされた遊技球がゲート１１を通過することを契機として、普通当たり判定が行われ、普通図柄が変動表示を開始する。判定の結果を示す普通図柄が図柄表示部２４の普通図柄表示部に表示される。普通当たり判定において普通当たりであると判定されると、第二始動口１３の作動部材１３１が作動される普通当たり遊技が実行される。本実施形態では、大当たり遊技の終了後に生起された時短状態は、その後に所定回数の大当たり判定が行われることを契機として終了し、遊技状態は通常状態に移行する。この場合、遊技は右打ちから左打ちに戻る。なお、大当たり遊技の終了後に時短状態が生起されない場合には、通常状態が生起される。以下では、大当たり遊技の終了後に時短状態が生起される場合を「時短付き大当たり」、大当たり遊技の終了後に通常状態が生起される場合を「通常大当たり」という。
【００３０】
時短状態において、普通当たり遊技中に第二始動口１３に遊技球が入賞することを契機として、第二大当たり判定が行われ、第二特別図柄が変動表示を開始した後、判定の結果を示す第二特別図柄が図柄表示部２４の第二特別図柄表示部に表示される。第二大当たり判定では、大当たり、小当たり又ははずれのいずれかの判定結果が、第二大当たり乱数に基づいて導出される。第二大当たり判定において小当たりであると判定されると、判定結果が小当たりであることを示す第二特別図柄が、図柄表示部２４の第二特別図柄表示部に確定表示される。その後、第一大入賞口１６の開閉部材１６１が所定時間開放状態にされる小当たり遊技が実行される。
【００３１】
本実施形態では、第二大当たり判定において小当たりであると判定される確率（本実施形態では、約１／１．１）は、大当たり判定によって大当たりと判定される確率（本実施形態では、約１／１５０）よりも高い。よって、時短状態中において小当たり遊技が繰り返して行われる。小当たり遊技において開閉部材１６１が開放状態にされた第一大入賞口１６に入賞した遊技球は、所定の割合で特定領域を通過する。遊技球が特定領域を通過すると、小当たり遊技の終了後に大当たり遊技が行われる。
【００３２】
図３及び図４を参照して、センター飾りユニット８０の構成について説明する。センター飾りユニット８０は、センター飾り８の内側に配置される部材のユニットである。センター飾りユニット８０は、ケース体８１、ベース部８２、ルーレット表示器３０、７セグ表示器２８、上側飾り部８３、下側飾り部８４等を備える。ケース体８１は、前面が開口する合成樹脂製の箱状であり、箱状の内側にベース部８２、ルーレット表示器３０、７セグ表示器２８、上側飾り部８３、下側飾り部８４を配置する。ケース体８１の外縁部が、遊技盤２の後方側から所定のねじ（図示略）によって固定されることで、ベース部８２、ルーレット表示器３０、７セグ表示器２８、上側飾り部８３、下側飾り部８４が遊技盤２（図２参照）の後側に配置される。
【００３３】
ベース部８２は、ルーレット表示器３０、上側飾り部８３、下側飾り部８４を支持するとともに、７セグ表示器２８を昇降可能に支持する機構（図示略）を備える。上側飾り部８３はルーレット表示器３０の上側を装飾する装飾体である。下側飾り部８４ら、ルーレット表示器３０の下側を装飾する装飾体である。７セグ表示器２８は、図３に示す中央位置と、図４に示す下降位置との間を移動可能である。７セグ表示器２８が中央位置に配置される場合、７セグ表示器２８がルーレット表示器３０の前側に配置される。７セグ表示器２８がルーレット表示器３０の下側の位置である下降位置に配置される場合、ルーレット表示器３０の略全体が前方に露出して、遊技盤２の前方からルーレット表示器３０の略全体が視認可能な状態になる。
【００３４】
図５から図７を参照して、ルーレット表示器３０の構成について説明する。ルーレット表示器３０は、支持板３１、ルーレット体３００、駆動モータ３１Ｍ及び検知センサ３２を備える。支持板３１は、前後方向に厚みを有する板状部材であり、検知センサ３２、ルーレット体３００及び駆動モータ３１Ｍを支持する。ルーレット体３００は、ルーレット盤を模した装飾部材であり、電飾基板３３、基板カバー３４、表示体３５及び指示体３６を備える。
【００３５】
電飾基板３３は、第一基板３３Ａ及び第二基板３３Ｂを含む。第一基板３３Ａは円環状の基板であり、発光体としてＬＥＤ３３１（図５参照）を複数備える。第二基板３３Ｂは、第一基板３３Ａの内側に配置される正面視で円環状の基板であり、第一基板３３Ａと同様に複数のＬＥＤ３３１を備える。第一基板３３Ａは、表示体３５に配置される後述する第一表示部Ｈａ〜第八表示部Ｈｈの後方に配置され、第一表示部Ｈａ〜第八表示部Ｈｈのそれぞれに絵柄を表示するために設けられている。第二基板３３Ｂは、表示体３５において第一表示部Ｈａ〜第八表示部Ｈｈよりも内側の部分を電飾するために設けられている。基板カバー３４は、中心角が約４５度となる扇形状に区分された領域を８つ有する、正面視で円形状の部材である。基板カバー３４は、第一基板３３Ａにおいて発光するＬＥＤ３３１の光を第一表示部Ｈａ〜第八表示部Ｈｈのそれぞれに導き、第二基板３３Ｂにおいて発行するＬＥＤの光を表示体３５の内側の部分に導くため、電飾基板３３の前側に配置される。
【００３６】
表示体３５は、正面視で円形状であり、ルーレット盤を模した板状部材である。表示体３５の外周部は、周方向に８つに等分されており、等分されたそれぞれの部分に表示部Ｈが設けられている。表示部Ｈは、正面視で下辺が表示体３５の外周部に配置された略台形状である第一表示部Ｈａ〜第八表示部Ｈｈの８つの表示部を有する。第一表示部Ｈａ〜第八表示部Ｈｈは、表示体３５の中心部を基準として正面視で時計回り方向に沿って順に配置される。第一表示部Ｈａは最上部に、第五表示部Ｈｅは最下部に配置される。
【００３７】
第一表示部Ｈａ〜第八表示部Ｈｈのそれぞれの前面は透明な合成樹脂板で覆われている。第一表示部Ｈａ〜第八表示部Ｈｈのそれぞれの後面には、二色シート（図示略）が貼付されている。二色シートは、少なくとも二種類の色の光を透過可能なシート状の部材である。二色シートの後方に配置された光源から発光される第一色（例えば赤色）の光のみが透過することで前面側に第一絵柄が表示され、第二色（例えば緑色）の光のみが透過することで前面側に第二絵柄が表示される。
【００３８】
本実施形態では、表示部Ｈの後方に配置される第一基板３３ＡにおいてＬＥＤ３３１が赤色に発光した場合には、「ＣＨＡＮＣＥ」の文字を模した第一絵柄が赤色で表示される。第一基板３３ＡにおいてＬＥＤ３３１が緑色に発光した場合には、数字の７を模した第二絵柄が緑色で表示される。第一基板３３ＡのＬＥＤ３３１が消灯した場合には、表示部Ｈに第一絵柄も第二絵柄も表示されない。表示体３５は、第一基板３３ＡのＬＥＤ３３１の発光形態に応じて、第一表示部Ｈａ〜第八表示部Ｈｈのそれぞれに、第一絵柄又は第二絵柄を表示させるか、絵柄の表示を行わないかを選択的に行うことができる。例えば、表示体３５は、第二表示部Ｈｂ、第四表示部Ｈｄ及び第七表示部Ｈｇに第一絵柄を、第三表示部Ｈｃ及び第六表示部Ｈｆに第二絵柄を表示し、第一表示部Ｈａ、第五表示部Ｈｅ及び第八表示部Ｈｈには絵柄を表示しないといった表示態様を構成できる。本実施形態では、第一絵柄が時短付き大当たりに対応し、第二絵柄が通常大当たりに対応する。絵柄の表示がない場合がはずれに対応する。すなわち、第一絵柄、第二絵柄、絵柄表示なしの順に、表示部Ｈによって報知される遊技者にとっての有利度が低くなる。
【００３９】
指示体３６は、表示体３５の前面側に配置される。指示体３６は、表示体３５の中心部と支持板３１とを前後方向に貫通する軸線Ｌ１（図５及び図６参照）の前部に固定される。指示体３６は、正面視で軸線Ｌ１を基準とした中心角が略４５度となる扇形状である。指示体３６は、固定部３６１、円弧部３６２、開口部３６３及び遮蔽部３６４を備える。固定部３６１は、表示体３５、基板カバー３４及び第二基板３３Ｂの各中央部を前後方向に貫通し、指示体３６を、軸線Ｌ１を中心として回転可能な状態で支持板３１に固定する部分である。固定部３６１の後部は、支持板３１とルーレット体３００との前後方向における間の位置に設けられるギヤ３１２（図５及び図６参照）の前面側に、ねじ（図示略）によって固定される。ギヤ３１２は、支持板３１の前面側における軸線Ｌ１が通過する位置に設けられたギヤ支持部３１２Ａ（図５参照）において回転可能に支持される。
【００４０】
円弧部３６２は、指示体３６のうち円弧の側の部分であり、指示体３６において固定部３６１とは反対側の端部を構成する。円弧部３６２は、指示体３６を前後方向に貫通した状態で開口する開口部３６３を備える。開口部３６３は、円弧部３６２において、第一表示部Ｈａ〜第八表示部Ｈｈと略同じ形状で開口する。したがって、指示体３６が円弧部３６２を真下に向けた状態（図３参照）では、第五表示部Ｈｅの全体が開口部３６３によって囲まれる。指示体３６が円弧部３６２を真上に向けた状態（図４参照）では、第一表示部Ｈａの全体が開口部３６３によって囲まれる。遮蔽部３６４は、円弧部３６２の後方において、表示体３５の周方向に長さを有して、円弧部３６２の外縁部の位置から固定部３６１が配置される方向に向けて、表示体３５の前面と略平行に延びる板状部である。図７に示すように、遮蔽部３６４は、電飾基板３３、基板カバー３４、表示体３５及び指示体３６が組み付けられた状態で、電飾基板３３よりも後方の位置に配置される。
【００４１】
図５及び図６に示すように、駆動モータ３１Ｍは、支持板３１の後面部に設けられる。駆動モータ３１Ｍは、指示体３６を、固定部３６１を中心として回転させるための駆動源である。本実施形態では、駆動モータ３１Ｍはステッピングモータである。支持板３１とルーレット体３００との前後方向における間の位置に設けられるギヤ３１１は、駆動モータ３１Ｍの回転軸（図示略）に沿って延びて支持板３１を貫通する軸線Ｌ２の前部に配置される。支持板３１において軸線Ｌ２が通る位置には、駆動モータ３１Ｍの回転軸が前後方向に貫通可能な孔部３１１Ａが設けられている。駆動モータ３１Ｍの回転軸は、孔部３１１Ａを介してギヤ３１１に連結する。駆動モータ３１Ｍの回転軸とギヤ３１１は一体に回転する。ギヤ３１１はギヤ３１２と噛み合う。このため、ギヤ３１２はギヤ３１１の回転に伴って、ギヤ３１１が回転する方向とは反対の方向に回転する。
【００４２】
したがって、駆動モータ３１Ｍが正面視で時計回りに駆動する場合、指示体３６は固定部３６１を中心として正面視で反時計回りに駆動する。駆動モータ３１Ｍが正面視で反時計回りに駆動する場合、指示体３６は固定部３６１を中心として時計回りに駆動する。駆動モータ３１Ｍが正面視で時計回りに駆動することを、以下ではＣＷ駆動という。駆動モータ３１Ｍが正面視で反時計回りに駆動することを、以下ではＣＣＷ駆動という。
【００４３】
検知センサ３２は、支持板３１の前面に取り付けられた光学式センサである。検知センサ３２は、上センサ３２１、右センサ３２２、下センサ３２３及び左センサ３２４が設けられる。図５に示すように、支持板３１の前面の上部、右部、下部及び左部には、検知センサ３２のそれぞれを支持板３１に取り付けるための取付部３２１Ａ，３２２Ａ，３２３Ａ及び３２４Ａを備える。検知センサ３２が取付部３２１Ａ，３２２Ａ，３２３Ａ及び３２４Ａのそれぞれに取り付けられた状態で、上センサ３２１、右センサ３２２、下センサ３２３及び左センサ３２４は、正面視でルーレット体３００の外縁部のうち上端、右端、下端及び左端の位置に配置される（図８参照）。したがって、上センサ３２１は、第一表示部Ｈａの上端部の位置に、遮蔽部３６４を検知可能な検知領域を配置する。右センサ３２２は、第三表示部Ｈｃの右端部の位置に検知領域を配置する。下センサ３２３は、第五表示部Ｈｅの下端部の位置に検知領域を配置する。左センサ３２４は、第七表示部Ｈｇの左端部の位置に検知領域を配置する。言い換えると、検知センサ３２のそれぞれは、表示体３５の外周部において、円周方向に複数並んで配置される表示部Ｈのうち一つ置きの表示部Ｈに対応する位置に設けられる。
【００４４】
指示体３６が軸線Ｌ１を中心として回転するのに伴い、遮蔽部３６４も軸線Ｌ１を中心として回転する。遮蔽部３６４は、円弧部３６２の側から、検知センサ３２の検知領域に向けて延びる。指示体３６の回転に応じて、遮蔽部３６４が検知センサ３２の検知領域に進入すると（検知領域を遮蔽すると）、検知センサ３２はＯＦＦ状態からＯＮ状態に切り替わる。遮蔽部３６４が検知センサ３２の検知領域から退出すると（検知領域を遮蔽しない状態になると）、検知センサ３２はＯＮ状態からＯＦＦ状態に切り替わる。
【００４５】
遮蔽部３６４は、表示体３５の外縁部に沿って延びる形状を有する。図７に示すように、表示体３５の円周方向における遮蔽部３６４の長さＭ１は、表示体３５の外周部を８等分した長さである長さＭ２と略同じである。長さＭ２は、表示体３５において円周方向に並ぶ第一表示部Ｈａ〜第八表示部Ｈｈのそれぞれの外縁部の長さに相当する。すなわち、パチンコ機１は、表示体３５の円周方向における遮蔽部３６４の長さＭ１と、第一表示部Ｈａ〜第八表示部Ｈｈのそれぞれの外縁部の長さとを、略同じ長さにしている。なお、表示体３５の前側に指示体３６が配置され、表示体３５の後側に円周方向に長さを有して遮蔽部３６４が配置される。指示体３６と遮蔽部３６４とで表示体３５の前後を挟んだ状態で指示体３６が回転するので、回転時の指示体３６の位置が安定しやすく、表示体３５に対して指示体３６がバタつきにくい。
【００４６】
図８〜図１３を参照して、指示体３６及び遮蔽部３６４の回転位置と検知センサ３２の検知結果との関係について説明する。本実施形態では、７セグ表示器２８が下降位置（図４参照）に配置されてルーレット表示器３０がパチンコ機１の前面側から視認可能になった状態において、ルーレット表示器３０を用いた報知演出が行われる。ルーレット表示器３０を用いた報知演出は、表示体３５における発光動作によって表示部Ｈに表示される絵柄と、指示体３６の回転動作とによって行われる。ルーレット表示器３０を用いた報知演出は、表示部Ｈの一部又は全部に絵柄が表示された状態で指示体３６が回転動作を行うことで開始され、回転動作の後に指示体３６が第一表示部Ｈａ〜第八表示部Ｈｈのうちいずれかを囲む位置で停止することで終了する。すなわち、ルーレット表示器３０を用いた報知演出では、指示体３６が最終的に囲む絵柄がいずれかによって、大当たり判定の結果がいずれであるかが報知される。
【００４７】
ルーレット表示器３０を用いた報知演出は、図８（１）に示すように、指示体３６の円弧部３６２が真上（時計の１２時の方向）を向き、指示体３６の開口部３６３が表示体３５の表示部Ｈのうち第一表示部Ｈａの全体をちょうど囲む位置（第一表示部Ｈａを指示する位置）に配置された状態から開始される。ルーレット表示器３０を用いた報知演出では、駆動モータ３１ＭがＣＣＷ駆動を行い、指示体３６は正面視で時計回りに回転する。
【００４８】
図１３は、指示体３６の配置に応じた遮蔽部３６４の配置を模式的に示す。模式図の左部において上から下に順に並ぶ「Ｈａ」〜「Ｈｈ」のマス目は、表示体３５において正面視で時計回りに順に配置される第一表示部Ｈａ〜第八表示部Ｈｈの並びを表す。「Ｈａ」、「Ｈｃ」、「Ｈｅ」及び「Ｈｇ」のマス目のうち上下方向における中央の位置に配置される記号は、上センサ３２１、右センサ３２２、下センサ３２３及び左センサ３２４のそれぞれの配置を表す。また、「（１）」〜「（１６）」は、図８〜図１２に示す（１）〜（１６）の指示体３６の配置に対応しており、これらの指示体３６の配置に対応して、第一表示部Ｈａ〜第八表示部Ｈｈの並びに対する遮蔽部３６４の配置及び検知センサ３２の検知状態が示される。本実施形態において、駆動モータ３１Ｍのステップ角は、０．６２５度である。したがって、駆動モータ３１Ｍが３６ステップのＣＣＷ駆動を行うことで、指示体３６が正面視で時計回りに２２．５度回転する。駆動モータ３１Ｍが７２ステップのＣＣＷ駆動を行うことで、指示体３６が正面視で時計回りに４５度回転する。駆動モータ３１Ｍが５７６ステップのＣＣＷ駆動を行うことで、指示体３６が正面視で時計回りに３６０度回転する。
【００４９】
図１３に示すように、図８（１）に示す位置に指示体３６が配置される場合、この配置において円弧部３６２のうち正面視で右側（遮蔽部３６４のうち時計回り方向における先端の側）に配置される側の端部３６４Ａは第一表示部Ｈａと第二表示部Ｈｂとの境目の位置に配置される。また、遮蔽部３６４のうち正面視で左側（遮蔽部３６４のうち時計回り方向における後端の側）に配置される側の端部３６４Ｂは第八表示部Ｈｈと第一表示部Ｈａとの境目の位置に配置される。この状態において、表示体３５の円周方向に延びる遮蔽部３６４の略中央の位置が、上センサ３２１の検知領域に配置されるので、上センサ３２１はＯＮ状態である。また、右センサ３２２、下センサ３２３及び左センサ３２４の検知領域には遮蔽部３６４が配置されないので、いずれもＯＦＦ状態となる。
【００５０】
図８（１）の状態から駆動モータ３１Ｍが３６ステップのＣＣＷ駆動を行うと、指示体３６は時計回りに２２．５度回転し、図９（２）に示す位置に移動する。この場合、図１３に示すように、遮蔽部３６４の端部３６４Ａが第二表示部Ｈｂの円周方向における中央の位置に配置され、端部３６４Ｂが第一表示部Ｈａの円周方向における中央の位置に配置される。この状態で、端部３６４Ｂは上センサ３２１の検知領域から外れた位置に配置されるので、上センサ３２１がＯＮ状態からＯＦＦ状態に移行する。よって、検知センサ３２はいずれもＯＦＦ状態となる。
【００５１】
図９（２）の状態から駆動モータ３１Ｍが３６ステップのＣＣＷ駆動を行うと、指示体３６は時計回りに２２．５度回転し、図９（３）に示す位置に移動する。この場合、遮蔽部３６４の端部３６４Ａが第二表示部Ｈｂと第三表示部Ｈｃとの境目の位置に配置され、端部３６４Ｂが第一表示部Ｈａと第二表示部Ｈｂとの境目の位置に配置される。したがって、指示体３６の開口部３６３が表示体３５の第二表示部Ｈｂの全体をちょうど囲む位置（第二表示部Ｈｂを指示する位置）に配置される。図１３に示すように、この状態で、いずれの検知センサ３２によっても遮蔽部３６４が検知されない状態が継続する。すなわち、図９（２）の状態において上センサ３２１がＯＮ状態からＯＦＦ状態に移行した後、３６ステップのＣＣＷ駆動が行われることで、指示体３６が第二表示部Ｈｂを指示する位置に配置される。このように、パチンコ機１は、いずれの検知センサ３２によっても遮蔽部３６４が検知されない状態においても、上センサ３２１がＯＮ状態からＯＦＦ状態に移行した後のＣＣＷ駆動におけるステップ数に基づいて、指示体３６を、第二表示部Ｈｂを指示する位置に配置できる。
【００５２】
図９（３）の状態から駆動モータ３１Ｍが３６ステップのＣＣＷ駆動を行うと、指示体３６は時計回りに２２．５度回転し、図９（４）に示す位置に移動する。この場合、図１３に示すように、遮蔽部３６４の端部３６４Ａが第三表示部Ｈｃの円周方向における中央の位置に配置され、端部３６４Ｂが第二表示部Ｈｂの円周方向における中央の位置に配置される。この状態で、端部３６４Ａは右センサ３２２の検知領域に進入する。よって、右センサ３２２がＯＦＦ状態からＯＮ状態になる。すなわち、図９（２）の状態において上センサ３２１がＯＮ状態からＯＦＦ状態に移行した後、７２ステップのＣＣＷ駆動が行われることで、指示体３６の開口部３６３が第二表示部Ｈｂよりも第三表示部Ｈｃを広く囲む位置に配置され始める。このように、パチンコ機１は、上センサ３２１がＯＦＦ状態になってから右センサ３２２がＯＮ状態になるまでの間の指示体３６の位置を、図９（２）の状態から駆動モータ３１ＭがＣＣＷ駆動したステップ数に応じて調整できる。
【００５３】
図９（４）の状態から駆動モータ３１Ｍが３６ステップのＣＣＷ駆動を行うと、指示体３６は時計回りに２２．５度回転し、円弧部３６２を右方向（時計の３時の方向）に向けた図１０（５）に示す位置に移動する。この場合、遮蔽部３６４の端部３６４Ａが第三表示部Ｈｃと第四表示部Ｈｄとの境目の位置に配置され、端部３６４Ｂが第二表示部Ｈｂと第三表示部Ｈｃとの境目の位置に配置される。したがって、指示体３６の開口部３６３が表示体３５の第三表示部Ｈｃの全体をちょうど囲む位置（第三表示部Ｈｃを指示する位置）に配置される。図１３に示すように、この状態で、表示体３５の円周方向に延びる遮蔽部３６４の略中央の位置が、右センサ３２２の検知領域に配置されるので、右センサ３２２はＯＮ状態を継続する。すなわち、図９（４）の状態において右センサ３２２がＯＦＦ状態からＯＮ状態に移行した後、３６ステップのＣＣＷ駆動が行われることで、指示体３６が第三表示部Ｈｃを指示する位置に配置される。
【００５４】
図１０（５）の状態から駆動モータ３１Ｍが３６ステップのＣＣＷ駆動を行うと、指示体３６は時計回りに２２．５度回転し、図１０（６）に示す位置に移動する。この場合、図１３に示すように、遮蔽部３６４の端部３６４Ａが第四表示部Ｈｄの円周方向における中央の位置に配置され、端部３６４Ｂが第三表示部Ｈｃの円周方向における中央の位置に配置される。この状態で、端部３６４Ｂは右センサ３２２の検知領域から外れた位置に配置されるので、右センサ３２２がＯＮ状態からＯＦＦ状態に移行する。よって、検知センサ３２はいずれもＯＦＦ状態となる。
【００５５】
図１０（６）の状態から駆動モータ３１Ｍが３６ステップのＣＣＷ駆動を行うと、指示体３６は時計回りに２２．５度回転し、図１０（７）に示す位置に移動する。この場合、遮蔽部３６４の端部３６４Ａが第五表示部Ｈｅと第四表示部Ｈｄとの境目の位置に配置され、端部３６４Ｂが第三表示部Ｈｃと第四表示部Ｈｄとの境目の位置に配置される。したがって、指示体３６の開口部３６３が表示体３５の第四表示部Ｈｄの全体をちょうど囲む位置（第四表示部Ｈｄを指示する位置）に配置される。図１３に示すように、この状態で、いずれの検知センサ３２によっても遮蔽部３６４が検知されない状態が継続する。すなわち、図１０（６）の状態において右センサ３２２がＯＮ状態からＯＦＦ状態に移行した後、３６ステップのＣＣＷ駆動が行われることで、指示体３６が第四表示部Ｈｄを指示する位置に配置される。このように、パチンコ機１は、いずれの検知センサ３２によっても遮蔽部３６４が検知されない状態においても、右センサ３２２がＯＮ状態からＯＦＦ状態に移行した後のＣＣＷ駆動におけるステップ数に基づいて、指示体３６を、第四表示部Ｈｄを指示する位置に配置できる。
【００５６】
図１０（７）の状態から駆動モータ３１Ｍが３６ステップのＣＣＷ駆動を行うと、指示体３６は時計回りに２２．５度回転し、図１０（８）に示す位置に移動する。この場合、図１３に示すように、遮蔽部３６４の端部３６４Ａが第五表示部Ｈｅの円周方向における中央の位置に配置され、端部３６４Ｂが第四表示部Ｈｄの円周方向における中央の位置に配置される。この状態で、端部３６４Ａは下センサ３２３の検知領域に進入する。よって、下センサ３２３がＯＦＦ状態からＯＮ状態になる。すなわち、図１０（６）の状態において右センサ３２２がＯＮ状態からＯＦＦ状態に移行した後、７２ステップのＣＣＷ駆動が行われることで、指示体３６の開口部３６３が第四表示部Ｈｄよりも第五表示部Ｈｅを広く囲む位置に配置され始める。このように、パチンコ機１は、右センサ３２２がＯＦＦ状態になってから下センサ３２３がＯＮ状態になるまでの間の指示体３６の位置を、図１０（６）の状態から駆動モータ３１ＭがＣＣＷ駆動したステップ数に応じて調整できる。
【００５７】
図１０（８）の状態から駆動モータ３１Ｍが３６ステップのＣＣＷ駆動を行うと、指示体３６は時計回りに２２．５度回転し、円弧部３６２を下方向（時計の６時の方向）に向けた図１１（９）に示す位置に移動する。この場合、遮蔽部３６４の端部３６４Ａが第五表示部Ｈｅと第六表示部Ｈｆとの境目の位置に配置され、端部３６４Ｂが第四表示部Ｈｄと第五表示部Ｈｅとの境目の位置に配置される。したがって、指示体３６の開口部３６３が表示体３５の第五表示部Ｈｅの全体をちょうど囲む位置（第五表示部Ｈｅを指示する位置）に配置される。図１３に示すように、この状態で、表示体３５の円周方向に延びる遮蔽部３６４の略中央の位置が、下センサ３２３の検知領域に配置されるので、下センサ３２３はＯＮ状態を継続する。すなわち、図１０（８）の状態において下センサ３２３がＯＦＦ状態からＯＮ状態に移行した後、３６ステップのＣＣＷ駆動が行われることで、指示体３６が第五表示部Ｈｅを指示する位置に配置される。
【００５８】
図１１（９）の状態から駆動モータ３１Ｍが３６ステップのＣＣＷ駆動を行うと、指示体３６は時計回りに２２．５度回転し、図１１（１０）に示す位置に移動する。この場合、図１３に示すように、遮蔽部３６４の端部３６４Ａが第六表示部Ｈｆの円周方向における中央の位置に配置され、端部３６４Ｂが第五表示部Ｈｅの円周方向における中央の位置に配置される。この状態で、端部３６４Ｂは下センサ３２３の検知領域から外れた位置に配置されるので、下センサ３２３がＯＮ状態からＯＦＦ状態に移行する。よって、検知センサ３２はいずれもＯＦＦ状態となる。
【００５９】
図１１（１０）の状態から駆動モータ３１Ｍが３６ステップのＣＣＷ駆動を行うと、指示体３６は時計回りに２２．５度回転し、図１１（１１）に示す位置に移動する。この場合、遮蔽部３６４の端部３６４Ａが第七表示部Ｈｇと第六表示部Ｈｆとの境目の位置に配置され、端部３６４Ｂが第五表示部Ｈｅと第六表示部Ｈｆとの境目の位置に配置される。したがって、指示体３６の開口部３６３が表示体３５の第六表示部Ｈｆの全体をちょうど囲む位置（第六表示部Ｈｆを指示する位置）に配置される。図１３に示すように、この状態で、いずれの検知センサ３２によっても遮蔽部３６４が検知されない状態が継続する。すなわち、図１１（１０）の状態において下センサ３２３がＯＮ状態からＯＦＦ状態に移行した後、３６ステップのＣＣＷ駆動が行われることで、指示体３６が第六表示部Ｈｆを指示する位置に配置される。このように、パチンコ機１は、いずれの検知センサ３２によっても遮蔽部３６４が検知されない状態においても、下センサ３２３がＯＮ状態からＯＦＦ状態に移行した後のＣＣＷ駆動におけるステップ数に基づいて、指示体３６を、第六表示部Ｈｆを指示する位置に配置できる。
【００６０】
図１１（１１）の状態から駆動モータ３１Ｍが３６ステップのＣＣＷ駆動を行うと、指示体３６は時計回りに２２．５度回転し、図１１（１２）に示す位置に移動する。この場合、図１３に示すように、遮蔽部３６４の端部３６４Ａが第七表示部Ｈｇの円周方向における中央の位置に配置され、端部３６４Ｂが第六表示部Ｈｆの円周方向における中央の位置に配置される。この状態で、端部３６４Ａは左センサ３２４の検知領域に進入する。よって、左センサ３２４がＯＦＦ状態からＯＮ状態になる。すなわち、図１１（１０）の状態において下センサ３２３がＯＮ状態からＯＦＦ状態に移行した後、７２ステップのＣＣＷ駆動が行われることで、指示体３６の開口部３６３が第六表示部Ｈｆよりも第七表示部Ｈｇを広く囲む位置に配置され始める。このように、パチンコ機１は、下センサ３２３がＯＦＦ状態になってから左センサ３２４がＯＮ状態になるまでの間の指示体３６の位置を、図１１（１０）の状態から駆動モータ３１ＭがＣＣＷ駆動したステップ数に応じて調整できる。
【００６１】
図１１（１２）の状態から駆動モータ３１Ｍが３６ステップのＣＣＷ駆動を行うと、指示体３６は時計回りに２２．５度回転し、円弧部３６２を左方向（時計の９時の方向）に向けた図１２（１３）に示す位置に移動する。この場合、遮蔽部３６４の端部３６４Ａが第七表示部Ｈｇと第八表示部Ｈｈとの境目の位置に配置され、端部３６４Ｂが第六表示部Ｈｆと第七表示部Ｈｇとの境目の位置に配置される。したがって、指示体３６の開口部３６３が表示体３５の第七表示部Ｈｇの全体をちょうど囲む位置（第七表示部Ｈｇを指示する位置）に配置される。図１３に示すように、この状態で、表示体３５の円周方向に延びる遮蔽部３６４の略中央の位置が、左センサ３２４の検知領域に配置されるので、左センサ３２４はＯＮ状態を継続する。すなわち、図１１（１２）の状態において左センサ３２４がＯＦＦ状態からＯＮ状態に移行した後、３６ステップのＣＣＷ駆動が行われることで、指示体３６が第七表示部Ｈｇを指示する位置に配置される。
【００６２】
図１２（１３）の状態から駆動モータ３１Ｍが３６ステップのＣＣＷ駆動を行うと、指示体３６は時計回りに２２．５度回転し、図１２（１４）に示す位置に移動する。この場合、図１３に示すように、遮蔽部３６４の端部３６４Ａが第八表示部Ｈｈの円周方向における中央の位置に配置され、端部３６４Ｂが第七表示部Ｈｇの円周方向における中央の位置に配置される。この状態で、端部３６４Ｂは左センサ３２４の検知領域から外れた位置に配置されるので、左センサ３２４がＯＮ状態からＯＦＦ状態に移行する。よって、検知センサ３２はいずれもＯＦＦ状態となる。
【００６３】
図１２（１４）の状態から駆動モータ３１Ｍが３６ステップのＣＣＷ駆動を行うと、指示体３６は時計回りに２２．５度回転し、図１２（１５）に示す位置に移動する。この場合、遮蔽部３６４の端部３６４Ａが第八表示部Ｈｈと第一表示部Ｈａとの境目の位置に配置され、端部３６４Ｂが第七表示部Ｈｇと第八表示部Ｈｈとの境目の位置に配置される。したがって、指示体３６の開口部３６３が表示体３５の第八表示部Ｈｈの全体をちょうど囲む位置（第八表示部Ｈｈを指示する位置）に配置される。図１３に示すように、この状態で、いずれの検知センサ３２によっても遮蔽部３６４が検知されない状態が継続する。すなわち、図１２（１４）の状態において左センサ３２４がＯＮ状態からＯＦＦ状態に移行した後、３６ステップのＣＣＷ駆動が行われることで、指示体３６が第八表示部Ｈｈを指示する位置に配置される。このように、パチンコ機１は、いずれの検知センサ３２によっても遮蔽部３６４が検知されない状態においても、左センサ３２４がＯＮ状態からＯＦＦ状態に移行した後のＣＣＷ駆動におけるステップ数に基づいて、指示体３６を、第八表示部Ｈｈを指示する位置に配置できる。
【００６４】
図１２（１５）の状態から駆動モータ３１Ｍが３６ステップのＣＣＷ駆動を行うと、指示体３６は時計回りに２２．５度回転し、図１２（１６）に示す位置に移動する。この場合、図１３に示すように、遮蔽部３６４の端部３６４Ａが第一表示部Ｈａの円周方向における中央の位置に配置され、端部３６４Ｂが第八表示部Ｈｈの円周方向における中央の位置に配置される。この状態で、端部３６４Ａは上センサ３２１の検知領域に進入する。よって、上センサ３２１がＯＦＦ状態からＯＮ状態になる。すなわち、図１２（１４）の状態において左センサ３２４がＯＮ状態からＯＦＦ状態に移行した後、７２ステップのＣＣＷ駆動が行われることで、指示体３６の開口部３６３が第八表示部Ｈｈよりも第一表示部Ｈａを広く囲む位置に配置され始める。このように、パチンコ機１は、左センサ３２４がＯＦＦ状態になってから上センサ３２１がＯＮ状態になるまでの間の指示体３６の位置を、図１２（１４）の状態から駆動モータ３１ＭがＣＣＷ駆動したステップ数に応じて調整できる。なお、図１２（１６）の状態から駆動モータ３１Ｍが３６ステップのＣＣＷ駆動を行うと、指示体は時計回りに２２．５度回転し、図８（１）に示す位置に移動する。
【００６５】
従来、移動可能な可動物を所望の位置に停止させる場合において、停止位置の精度を図るとき、停止させたい位置のそれぞれに可動物の位置を検知する検知センサを設けることがある。仮に、パチンコ機１のルーレット表示器３０にこの従来技術を採用する場合、表示部Ｈの数に応じた８個の検知センサを設けることとなる。一方で、検知センサの個数が増えるほどパチンコ機１の製造コストが上昇する。また、検知センサの取付部の個数も増えるので、取付部を設けるスペースの確保が必要となるが、ルーレット表示器３０等の演出用の装置を配置するためのスペースには限りがある。また、従来、検知センサの配置を基準にした可動物の停止位置の精度を向上させるために、可動物に設けられる遮蔽部３６４の大きさを検知センサの検知領域と同程度の大きさとすることがある。仮に、ルーレット表示器３０の指示体３６に設けられる遮蔽部３６４の大きさを検知センサ３２の検知領域と同程度の大きさとした場合、検知センサ３２の個数を減らすほど、指示体３６を正確に停止させることができる位置が減少する。
【００６６】
パチンコ機１は、指示体３６が移動する方向である表示体３５の円周方向における遮蔽部３６４の長さＭ１を、表示体３５において円周方向に並ぶ表示部Ｈのそれぞれの外周部の長さと略同じ長さとしている。これにより、パチンコ機１は、指示体３６の回転時において遮蔽部３６４がいずれの検知センサ３２によっても検知されない状態の発生頻度を、遮蔽部３６４の大きさを検知領域と同程度の大きさとした場合よりも低減している。これにより、パチンコ機１は、移動中の指示体３６の位置を把握しやすくしている。また、パチンコ機１は、遮蔽部３６４の形状を複数の表示部Ｈが並ぶ方向に長さを有するものとすることで、検知センサ３２を全ての表示部Ｈに対応して配置することなく、検知センサ３２の個数を減少することができる。
【００６７】
パチンコ機１において、表示体３５の円周方向における遮蔽部３６４の長さが表示部Ｈと同じ長さである。遮蔽部３６４は、指示体３６の円弧部３６２に対応する位置に設けられている。このため、上センサ３２１が遮蔽部３６４を検知している状態（ＯＮ状態）は、指示体３６の開口部３６３によって上センサ３２１が配置される表示部Ｈである第一表示部Ｈａが他の表示部Ｈよりも大きく選択されている状態に相当する。同様に、右センサ３２２のＯＮ状態は、指示体３６の開口部３６３によって右センサ３２２が配置される第三表示部Ｈｃが他の表示部Ｈよりも大きく選択されている状態に相当する。下センサ３２３のＯＮ状態は、指示体３６の開口部３６３によって下センサ３２３が配置される第五表示部Ｈｅが他の表示部Ｈよりも大きく選択されている状態に相当する。左センサ３２４のＯＮ状態は、指示体３６の開口部３６３によって左センサ３２４が配置される第七表示部Ｈｇが他の表示部Ｈよりも大きく選択されている状態に相当する。
【００６８】
例えば、外部からの振動等のトラブルによって、指示体３６が予期せず回転を停止する等の不具合が生じることが考えられる。このような場合であっても、パチンコ機１は、検知センサ３２のいずれかがＯＮ状態を示すときには、指示体３６がいずれの表示部Ｈを大きく選択している状態であるかを特定できる。また、検知センサ３２のいずれもＯＦＦ状態を示すときには、直前にＯＮ状態を検知した検知センサ３２を特定できれば、特定した検知センサ３２が配置される表示部Ｈに隣接する表示部Ｈのうちいずれかを大きく選択された状態であることを特定できる。具体的には、駆動モータ３１ＭがＣＣＷ駆動する場合には、特定された検知センサ３２が配置される表示部Ｈの時計回りの側に隣接する表示部Ｈが大きく選択された状態であることが特定される。駆動モータ３１ＭがＣＷ駆動する場合には、特定された検知センサ３２が配置される表示部Ｈの反時計回りの側に隣接する表示部Ｈが大きく選択された状態であることが特定される。このように、パチンコ機１は、遮蔽部３６４の大きさを工夫することによって、検知センサ３２の個数を減らしても、指示体３６の位置を容易に特定できる。
【００６９】
指示体３６は、軸線Ｌ１（図５及び図６参照）を回転軸として回転し、指示体３６によって選択される表示部Ｈは、表示体３５の外周部において、円周方向に並んで配置される。検知センサ３２が表示部Ｈに近接する位置に配置されるほど、検知センサ３２による検知結果と指示体３６の実際の配置との間に生じるずれが減少し、指示体３６の位置の把握及び指示体３６の停止位置の精度が向上する。また、軸線Ｌ１に近接する位置に検知センサ３２及び遮蔽部３６４を配置する場合、指示体３６の回転軸等に遮蔽部３６４を設けることがあるが、この場合には、遮蔽部３６４の前後方向における厚みの分だけ、回転軸に前後方向に長さを設ける必要が生じる。検知センサ３２を複数配置する場合には、遮蔽部３６４を設ける数も増加するので、指示体３６の前後方向における大きさが大きくなりやすい。したがって、パチンコ機１は、検知センサ３２及び遮蔽部３６４を、軸線Ｌ１よりも表示体の３５の外周部に近接した位置に配置することで、指示体３６の位置の把握及び指示体３６の停止位置の精度を向上し、指示体３６の小型化を図ることができる。本実施形態では、検知センサ３２が表示体３５の外縁から軸線Ｌ１の方向に（表示体３５の内側に）僅かにずれた位置に配置されるが、検知センサ３２が表示体３５の外縁から軸線Ｌ１とは反対の方向に（表示体３５の外側に）僅かにずれた位置に配置されてもよい。
【００７０】
図１４を参照して、パチンコ機１の電気的構成について説明する。パチンコ機１の制御部４０は、主基板４１、サブ制御基板５８、ランプドライバ基板４６、払出制御基板４５、中継基板４７及び電源基板４２を主に備える。
【００７１】
主基板４１は、パチンコ機１の主制御を司る。主基板４１の主基板ＣＰＵユニット５０には、各種の演算処理を行うＣＰＵ５１と、データを一時的に記憶するＲＡＭ５２と、制御プログラム等を記憶したＲＯＭ５３とが設けられている。主基板ＣＰＵユニット５０には、乱数発生回路５６及び割込信号発生回路５７が接続されている。乱数発生回路５６は、所定範囲の乱数を発生させる。割込信号発生回路５７は、一定周波数のクロック信号を出力するクロック回路（図示略）からクロック信号が入力される毎に割込信号を発生させる。主基板４１は、割込信号発生回路５７から割込信号が入力される毎に、後述する主制御プログラムのメイン処理を実行する。
【００７２】
主基板４１は、Ｉ／Ｏインタフェイス５４を介してサブ制御基板５８、払出制御基板４５、中継基板４７、外部端子板５５、第一始動口スイッチ６１、第二始動口スイッチ６２に接続している。サブ制御基板５８は、ＣＰＵ５８１、ＲＡＭ５８２及びＲＯＭ５８３を備え、ランプドライバ基板４６、操作ボタン９及びスピーカ４８に接続している。サブ制御基板５８は、主基板４１から送信されるコマンドに従って、報知演出の制御等を行う。ランプドライバ基板４６は、電飾基板３３、上センサ３２１、右センサ３２２、下センサ３２３、左センサ３２４、駆動モータ３１Ｍに接続している。ランプドライバ基板４６は、サブ制御基板５８から受信するコマンドに従って、電飾基板３３の発光動作、駆動モータ３１Ｍの駆動等を制御する。
【００７３】
払出制御基板４５は、ＣＰＵ４５ａ等を備える。払出制御基板４５は、主基板４１から送信されるコマンドに応じて賞球払出装置４９の動作を制御し、所定数の遊技球を賞球として賞球払出装置４９に払い出させる。中継基板４７は、第二始動口ソレノイド６９、第一大入賞口ソレノイド７０、第二大入賞口ソレノイド７１、ゲートスイッチ７５、第一大入賞口スイッチ７７、第二大入賞口スイッチ７８、特定領域スイッチ７９及び図柄表示部２４に接続している。
【００７４】
第二始動口ソレノイド６９は、普通当たり遊技中に第二始動口１３の作動部材１３１を作動する。第一大入賞口ソレノイド７０は、大当たり遊技中に第一大入賞口１６の開閉部材１６１を開閉する。第二大入賞口ソレノイド７１は、小当たり遊技中に第二大入賞口１７の開閉部材１７１を開閉する。ゲートスイッチ７５は、ゲート１１に設けられており、ゲート１１への遊技球の通過を検出する。第一大入賞口スイッチ７７は、第一大入賞口１６に設けられており、第一大入賞口１６への遊技球の入賞を検出する。第二大入賞口スイッチ７８は、第二大入賞口１７に設けられており、第二大入賞口１７への遊技球の入賞を検出する。特定領域スイッチ７９は、第二大入賞口１７の特定領域に設けられており、特定領域への遊技球の通過を検出する。
【００７５】
外部端子板５５は、パチンコホールに設置されている遊技機を統括的に管理する遊技場管理用コンピュータ（いわゆるホールコンピュータ、図示略）にパチンコ機１の情報を接点出力する。第一始動口スイッチ６１は、第一始動口１２に設けられており、第一始動口１２への遊技球の入賞を検出する。第二始動口スイッチ６２は、第二始動口１３に設けられており、第二始動口１３への遊技球の入賞を検出する。
【００７６】
電源基板４２は、主基板４１及び遊技球発射装置３７に接続されており、各基板及び遊技球発射装置３７に直流の安定化した電力を供給する。遊技球発射装置３７は、一定間隔（本実施形態では０．６秒）毎に１個ずつ遊技球を遊技領域４へ発射する。
【００７７】
図１５を参照して、パチンコ機１の主基板４１による動作について説明する。パチンコ機１の主制御は、ＲＯＭ５３に記憶されている制御プログラムによって行われる。制御プログラムのメイン処理は、割込信号発生回路５７（図１４参照）が４ｍｓ毎に発生する割込信号をＣＰＵ５１が検知した際に、ＣＰＵ５１において実行される。以下、フローチャートの各ステップについて「Ｓ」と略記する。
【００７８】
メイン処理が開始されると、まず、コマンド出力処理が行われる（Ｓ２０）。コマンド出力処理では、制御コマンドが、サブ制御基板５８、払出制御基板４５、中継基板４７等に出力される。ここで出力される制御コマンドは、前回実施されたメイン処理においてＲＡＭ５２に記憶された制御コマンドである。
【００７９】
次いで、スイッチ読込処理が行われる（Ｓ２１）。スイッチ読込処理では、ゲート１１、第一始動口１２、第二始動口１３、第一大入賞口１６、第二大入賞口１７、その他の入賞口に設けられた各スイッチ（図１４参照）の検出結果から、遊技球の通過又は入賞を検知するための処理が行われる。各スイッチが遊技球の通過を検出すると、ＲＡＭ５２に記憶されている各スイッチに対応するフラグが「ＯＮ」となる。
【００８０】
次いで、カウンタ更新処理が行われる（Ｓ２２）。カウンタ更新処理では、ＲＡＭ５２に記憶されている乱数取得カウンタの値が加算され、且つ、第一特別図柄及び第二特別図柄の変動時間を計測するためのタイマカウンタである第一変動時間カウンタ及び第二変動時間カウンタの値が減算される。
【００８１】
次いで、特別電動役物処理が行われる（Ｓ２３）。特別電動役物処理では、当たり遊技の動作を制御するための処理、大当たり遊技終了後に設定される遊技状態に関する処理等が行われる。当たり遊技の動作とは、主に、大当たり遊技及び小当たり遊技における第一大入賞口１６及び第二大入賞口１７の開閉部材１６１，１７１の開閉動作である。
【００８２】
次いで、特別図柄処理が行われる（Ｓ２４）。特別図柄処理では、大当たり判定、特別図柄の変動パターン（報知演出の内容及び演出時間）の決定、大当たり判定の結果を示す特別図柄の決定及び遊技状態の移行処理等が行われる。
【００８３】
次いで、普通電動役物処理が行われる（Ｓ２５）。普通電動役物処理では、普通当たり遊技の動作（主に第二始動口１３の開閉部材１２１の開閉動作）を制御するための処理が行われる。
【００８４】
次いで、普通図柄処理が行われる（Ｓ２６）。普通図柄処理では、普通当たり判定、普通当たり判定の結果を示す普通当たり図柄の決定、普通図柄の変動を制御するためのコマンドの記憶等の処理が行われる。
【００８５】
次いで、払出処理（Ｓ２７）、エラーチェック（Ｓ２８）、及び情報出力処理（Ｓ２９）が行われ、メイン処理が終了する。払出処理では、スイッチ読込処理によって各スイッチに対応するフラグが「ＯＮ」とされた場合に、各スイッチに対応する入賞口へ遊技球が入賞したことを示すコマンドが、払出制御基板４５に送信される。このコマンドを受信した払出制御基板４５のＣＰＵ４５ａは、コマンドに対応する入賞口について予め定められている個数の賞球を、入賞口への入賞球数に応じて賞球払出装置４９に払い出させる。エラーチェックでは、エラーが発生している場合に、７セグ表示器２８及びスピーカ４８等を用いてエラーが報知される。情報出力処理では、遊技場管理用コンピュータ（図示略）に各種の情報が出力される。
【００８６】
次いで、図１６を参照して、サブ制御基板５８が実行するサブ制御基板処理について説明する。サブ制御基板処理では、主基板４１から送信されるコマンドに従って、各種の演出を制御する処理が行われる。特に、サブ制御基板処理では、報知演出の制御等が実行される。報知演出の制御においては、７セグ表示器２８及びルーレット表示器３０の発光動作及びルーレット表示器３０の指示体３６の回転動作の制御が行われる。サブ制御基板処理は、ＲＯＭ５８３に記憶されているプログラムに従って、ＣＰＵ５８１によって実行される。
【００８７】
サブ制御基板処理で使用されるフラグについて説明する。ＲＡＭ５８２には、特定報知演出中フラグ、指示体エラーフラグ等が記憶されている。特定報知演出中フラグは、ルーレット表示器３０の変動表示を伴う報知演出である特定報知演出が実行中であることを示すフラグであり、特定報知演出が実行中の場合に「１」が記憶されて「ＯＮ」になり、非実行中の場合に「０」が記憶されて「ＯＦＦ」になる。指示体エラーフラグは、指示体３６の動作に何らかの不具合（エラー）が生じていることを示すフラグであり、エラー中に「１」が記憶されて「ＯＮ」になり、非エラー中に「０」が記憶されて「ＯＦＦ」になる。
【００８８】
サブ制御基板処理が開始されると、主基板４１から変動パターン指定コマンドを受信したかが判断される（Ｓ３１）。変動パターン指定コマンドを受信していない場合（Ｓ３１：ＮＯ）、処理はＳ４１の判断へ移行する。変動パターン指定コマンドを受信した場合（Ｓ３１：ＹＥＳ）、受信した変動パターン指定コマンドの示す変動パターンが、特定報知演出に対応する特定の変動パターンであるかが判断される（Ｓ３２）。受信した変動パターン指定コマンドの示す変動パターンが特定の変動パターンである場合（Ｓ３２：ＹＥＳ）、特定報知演出制御処理が実行されて（Ｓ３３）、処理はＳ４１の判断へ移行する。受信した変動パターン指定コマンドの示す変動パターンが特定の変動パターンでない場合（Ｓ３２：ＮＯ）、変動パターンに対応する報知演出の実行が開始されて（Ｓ３５）、処理はＳ４１の判断へ移行する。
【００８９】
図１７を参照して、特定報知演出制御処理（Ｓ３３、図１６参照）について詳細に説明する。特定報知演出制御処理では、報知演出のうち、ルーレット表示器３０を用いた報知演出である特定報知演出を実行するための処理が行われる。特定報知演出制御処理が開始されると、７セグ表示器２８において演出図柄の変動表示が開始される（Ｓ６１）。本実施形態では、特定報知演出を含む報知演出において、７セグ表示器２８が中央位置（図３参照）に配置された状態で、報知演出が開始される。したがって、特定報知演出の開始時点には、７セグ表示器２８における演出図柄が変動表示を開始する。
【００９０】
次いで、ルーレット表示器３０の表示部Ｈにおいて絵柄の変動表示が開始される（Ｓ６２）。表示部Ｈの絵柄の変動表示は、表示部Ｈの後方に配置される第一基板３３ＡのＬＥＤ３３１の発光動作が制御されることによって行われる。すなわち、表示部Ｈのそれぞれに対応する位置に配置されるＬＥＤ３３１が赤色に発光した場合には第一絵柄が、緑色に発光した場合には第二絵柄がそれぞれ表示され、ＬＥＤ３３１が消灯した場合には表示部Ｈに絵柄が何も表示されない状態になる。ＣＰＵ５８１は、特定報知演出の種類に対応したパターンで、ＬＥＤ３３１の発光及び消灯を制御する。
【００９１】
次いで、７セグ表示器２８が中央位置（図３参照）から下降位置（図４参照）に移動される（Ｓ６３）。ＣＰＵ５８１は、７セグ表示器２８を昇降させるために設けられている所定のモータ（図示略）を制御することによって、７セグ表示器２８を下降位置に配置する。
【００９２】
次いで、ルーレット表示器３０を用いた特定報知演出の準備を行うため、指示体３６の回転駆動開始処理が行われる（Ｓ６５）。指示体３６の回転駆動開始処理は、特定報知演出を実行するため、所定の位置に指示体３６を配置する処理である。本実施形態では、７セグ表示器２８が中央位置に配置されている状態において、指示体３６が第五表示部Ｈｅを指示する位置（時計の６時の方向を指した状態）に配置されている（図３参照）。指示体３６の回転駆動開始処理では、指示体３６が第五表示部Ｈｅを指示する位置から第一表示部Ｈａを指示する位置（時計の１２時の方向を指した状態）に移動される（図４参照）。ＣＰＵ５８１は、ランプドライバ基板４６を介して、指示体３６を１８０度回転させるために必要な数のパルス信号を、駆動モータ３１Ｍに送信する。具体的には駆動モータ３１Ｍを所定量ＣＣＷ駆動させるために必要なパルス信号が、駆動モータ３１Ｍに送信される。本実施形態では、指示体３６を１８０度回転させるために必要なステップ数が２８８ステップであるので、駆動モータ３１Ｍに送信されるパルス数は２８８である。
【００９３】
次いで、特定報知演出が実行中であることを示すフラグである特定報知演出中フラグが「ＯＮ」になる（Ｓ６６）。次いで、特定報知演出の種類に応じた指示体駆動処理の実行タイミング（特定報知演出における指示体３６の駆動開始のタイミング）がＲＡＭ５８２に記憶される（Ｓ６８）。本実施形態では、特定報知演出の種類に応じた指示体３６の動作パターンが、ＲＯＭ５８３に記憶されている。ＣＰＵ５８１は、この指示体３６の動作パターンを参照し、特定報知演出の種類に応じた指示体３６の駆動開始のタイミングを取得し、ＲＡＭ５８２に記憶する。Ｓ６８の処理では、動作パターンが示す指示体３６の動作開始タイミングが、ＲＡＭ５８２に記憶される。次いで、ＲＡＭ５８２に記憶されているタイマカウンタを用いた、特定報知演出の演出時間の計測が開始され（Ｓ６９）、処理はサブ制御基板処理へ戻る。
【００９４】
図１６の説明に戻る。次いで、特定報知演出が実行中であるかが判断される（Ｓ４１）。特定報知演出中フラグが「ＯＦＦ」の場合、特定報知演出が実行中でないと判断されて（Ｓ４１：ＮＯ）、処理はＳ５１の判断へ移行する。特定報知演出中フラグが「ＯＮ」の場合、特定報知演出において指示体３６を駆動するタイミングが到来しているかが判断される（Ｓ４２）。この判断は、Ｓ６９（図１７参照）の処理で計測が開始された特定報知演出の演出時間の計測結果が、Ｓ６８（図１７参照）の処理において記憶された指示体駆動処理の実行タイミングと一致しているかによって行われる。特定報知演出において指示体３６を駆動するタイミングが到来していない場合（Ｓ４２：ＮＯ）、処理はＳ４５の判断へ移行する。特定報知演出において指示体３６を駆動するタイミングが到来している場合（Ｓ４２：ＹＥＳ）、指示体駆動処理が実行されて（Ｓ４３）、処理はＳ４５の判断へ移行する。指示体駆動処理の詳細については後述する。
【００９５】
次いで、指示体３６の駆動の状態にエラーが生じているかが判断される（Ｓ４５）。この判断は、指示体エラーフラグが「ＯＮ」であるかに応じて行われる。指示体エラーフラグが「ＯＦＦ」である場合、指示体３６の駆動の状態にエラーが生じていないと判断されて（Ｓ４５：ＮＯ）、処理はＳ５１の判断へ移行する。指示体エラーフラグが「ＯＮ」である場合、指示体３６の駆動の状態にエラーが生じていると判断されて（Ｓ４５：ＹＥＳ）、指示体エラー処理が実行されて（Ｓ４６）、処理はＳ５１の判断へ移行する。指示体エラー処理の詳細については後述する。
【００９６】
図１８を参照して、指示体駆動処理（Ｓ４３、図１６参照）について詳細に説明する。指示体駆動処理では、指示体３６の回転駆動開始処理（Ｓ６５、図１７参照）によって第一表示部Ｈａを指示する位置に配置された指示体３６を、特定報知演出の種類によって定められる表示部Ｈを指示する位置まで移動させるための処理が行われる。また、この移動の途中に指示体３６が意図せず停止する等、指示体３６の駆動が中断しているか否かも判断される。
【００９７】
指示体駆動処理が開始されると、ＣＣＷ駆動での駆動モータ３１Ｍの駆動が開始される（Ｓ７１）。この処理において、ＣＰＵ５８１は、駆動モータ３１ＭをＣＣＷ駆動させるためのパルス信号の送信を開始する。次いで、駆動モータ３１Ｍに送信されたパルス数である送信パルス数の計測が開始される（Ｓ７２）。この処理において、ＣＰＵ５８１は、Ｓ７１の処理の開始後に駆動モータ３１Ｍに送信したパルス数を、ＲＡＭ５８２に累積して記憶する。
【００９８】
次いで、指示体３６をいずれの表示部Ｈを指示する位置に停止させるかについての情報を取得する（Ｓ７３）。本実施形態では、特定報知演出の種類に応じた指示体３６の動作パターンがＲＯＭ５８３に記憶されており、動作パターンには、第一表示部Ｈａ〜第八表示部Ｈｈのいずれを指示する位置に指示体３６を停止させるかが定められている。以下では、特定報知演出において指示体３６を停止させる表示部Ｈを「停止表示部」という。
【００９９】
次いで、停止表示部が、検知センサ３２が配置される表示部Ｈであるかが判断される（Ｓ７５）。本実施形態では、上センサ３２１、右センサ３２２、下センサ３２３及び左センサ３２４が、第一表示部Ｈａ、第三表示部Ｈｃ、第五表示部Ｈｅ及び第七表示部Ｈｇのそれぞれの、表示体３５の円周方向における中央の位置に配置されている。したがって、Ｓ７５の処理では、Ｓ７３の処理で取得した停止表示部が、第一表示部Ｈａ、第三表示部Ｈｃ、第五表示部Ｈｅ又は第七表示部Ｈｇであるかが判断される。
【０１００】
停止表示部が第一表示部Ｈａ、第三表示部Ｈｃ、第五表示部Ｈｅ又は第七表示部Ｈｇである場合（Ｓ７５：ＹＥＳ）、検知センサ３２のうち停止表示部に配置されている検知センサ３２がＯＮ状態であるかが判断される（Ｓ７６）。停止表示部に配置されている検知センサ３２を、以下では「第一対応センサ」という。第一対応センサがＯＮ状態である場合（Ｓ７６：ＹＥＳ）、処理はＳ８６へ移行する。
【０１０１】
第一対応センサがＯＦＦ状態である場合（Ｓ７６：ＮＯ）、中断判断処理が行われる（Ｓ７８）。中断判断処理は、指示体３６の駆動が何らかの不具合（エラー）で中断しているかを判断する処理である。中断判断処理の詳細については後述する。中断判断処理が行われると、処理はＳ７６の判断に戻るか、指示体駆動処理が終了して処理がサブ制御基板処理へ戻る。
【０１０２】
一方、停止表示部が第一表示部Ｈａ、第三表示部Ｈｃ、第五表示部Ｈｅ又は第七表示部Ｈｇでない場合（第二表示部Ｈｂ、第四表示部Ｈｄ、第六表示部Ｈｆ又は第八表示部Ｈｈである場合）（Ｓ７５：ＮＯ）、表示部Ｈのうち時計回り方向において停止表示部よりも一つ手前の表示部に配置される検知センサ３２がＯＮ状態であるかが判断される（Ｓ８１）。表示部Ｈのうち時計回り方向において停止表示部よりも一つ手前の表示部Ｈに配置される検知センサ３２を、以下では「第二対応センサ」という。具体的には、停止表示部が第二表示部Ｈｂである場合の第二対応センサは、第二表示部Ｈｂよりも時計回りにおいて一つ手前に配置される第一表示部Ｈａに配置される上センサ３２１である。停止表示部が第四表示部Ｈｄである場合の第二対応センサは、第四表示部Ｈｄよりも時計回りにおいて一つ手前に配置される第三表示部Ｈｃに配置される右センサ３２２である。停止表示部が第六表示部Ｈｆである場合の第二対応センサは、第六表示部Ｈｆよりも時計回りにおいて一つ手前に配置される第五表示部Ｈｅに配置される下センサ３２３である。停止表示部が第八表示部Ｈｈである場合の第二対応センサは、第八表示部Ｈｈよりも時計回りにおいて一つ手前に配置される第七表示部Ｈｇに配置される左センサ３２４である。
【０１０３】
次いで、第二対応センサがＯＮ状態であるかが判断される（Ｓ８１）。第二対応センサがＯＮ状態である場合（Ｓ８１：ＹＥＳ）、処理はＳ８３の判断へ移行する。第二対応センサがＯＦＦ状態である場合（Ｓ８１：ＮＯ）、中断判断処理が行われて、処理はＳ８１の判断に戻るか、指示体駆動処理が終了して処理がサブ制御基板処理へ戻る。
【０１０４】
次いで、第二対応センサがＯＦＦ状態であるかが判断される（Ｓ８３）。第二対応センサがＯＦＦ状態である場合（Ｓ８３：ＹＥＳ）、処理はＳ８６へ移行する。第二対応センサがＯＮ状態である場合（Ｓ８３：ＮＯ）、中断判断処理が行われて、処理はＳ８３の判断に戻るか、指示体駆動処理が終了して処理がサブ制御基板処理へ戻る。
【０１０５】
次いで、３６パルス分だけ、さらにＣＣＷ駆動が継続される（Ｓ８６）。Ｓ８６の処理の開始時点において、指示体３６は、停止表示部と停止表示部よりも時計回り方向において一つ手前の表示部Ｈとを同じ大きさで選択する位置にある。したがって、この位置から駆動モータ３１Ｍが３６ステップのＣＣＷ駆動をさらに行うことで、指示体３６が停止表示部をちょうど囲んで選択する位置に配置される。駆動モータ３１ＭをＣＣＷ駆動させるために３６パルス分パルス信号が送信された後、ＣＰＵ５８１は駆動モータ３１Ｍの駆動を停止させる（Ｓ８８）。処理はサブ制御基板処理へ戻る。
【０１０６】
図１９を参照して、中断判断処理（Ｓ７８、Ｓ８２、Ｓ８５、図１８参照）について詳細に説明する。中断判断処理が開始されると、Ｓ７２（図１８参照）の処理で計測が開始された送信パルス数が、所定の閾値以上であるかが判断される（Ｓ９１）。本実施形態において、所定の閾値は、指示体３６が３６０度（駆動モータ３１Ｍが５７６ステップ）回転するために必要なパルス数である「５７６」に、プラスαとして指示体３６が９０度（駆動モータ３１Ｍが１４４ステップ）回転するために必要なパルス数である「１４４」を加えた「７２０」である。送信パルス数が７２０パルス未満である場合（Ｓ９１：ＮＯ）、処理はＳ７６、Ｓ８１又はＳ８３に戻る。
【０１０７】
一方、送信パルス数が７２０パルス以上である場合（Ｓ９１：ＹＥＳ）、指示体エラーフラグが「ＯＮ」になる（Ｓ９２）。処理はサブ制御基板処理へ戻る。本実施形態において、所定の閾値は、指示体３６が３６０度以上回転するために必要なパルス数である。指示体３６が正常に回転駆動を継続している場合、指示体３６が特定報知演出の開始時点に配置される第一表示部Ｈａの位置から３６０度以上回転したときには、第一表示部Ｈａ停止の位置から停止表示部の位置まで少なくとも移動しているはずである。したがって、ＣＰＵ５８１は、閾値を超えたパルス数のパルス信号が駆動モータ３１Ｍに送られても、第一対応センサ及び第二対応センサによって所定の検知結果が得られない場合には、指示体３６の動作にエラーが生じているとみなして指示体エラーフラグを「ＯＮ」にする。処理はサブ制御基板処理へ戻る。
【０１０８】
図２０を参照して、指示体エラー処理（Ｓ４６、図１６参照）について詳細に説明する。指示体エラー処理では、指示体３６の駆動の状態にエラーが生じている場合に、所定のリトライ動作を行うことでエラー状態の解消を図られる。また、リトライ動作が所定回数繰り返されてもエラー状態が解消しない場合には、ルーレット表示器３０が表示する絵柄の内容を、正常な状態のときとは異なる内容にする処理が行われる。
【０１０９】
指示体エラー処理が開始されると、ＯＮ状態を示す検知センサ３２があるが判断される（Ｓ１０１）。ＯＮ状態を示す検知センサ３２がある場合（Ｓ１０１：ＹＥＳ）、ＯＮ状態を示す検知センサ３２に対応する表示部Ｈがいずれであるかが特定される（Ｓ１０２）。この処理で特定される表示部Ｈを、以下では「特定表示部」という。具体的には、上センサ３２１がＯＮ状態を示す場合、第一表示部Ｈａが特定表示部である。右センサ３２２がＯＮ状態を示す場合、第三表示部Ｈｃが特定表示部である。下センサ３２３がＯＮ状態を示す場合、第五表示部Ｈｅが特定表示部である。左センサ３２４がＯＮ状態を示す場合、第七表示部Ｈｇが特定表示部である。処理はＳ１０６の判断へ移行する。一方、ＯＮ状態を示す検知センサ３２がない場合（Ｓ１０１：ＮＯ）、処理はＳ１１１の判断へ移行する。
【０１１０】
次いで、Ｓ１０２又はＳ１０５の処理によって特定された特定表示部が、特定報知演出の種類に応じた指示体３６の動作パターンに定められている停止表示部に一致するかが判断される（Ｓ１０６）。特定表示部が停止表示部に一致する場合（Ｓ１０６：ＹＥＳ）、指示体３６が停止表示部を選択した状態であり、遊技者が遊技の結果を誤認する可能性がないため、処理はサブ制御基板処理へ戻る。特定表示部が停止表示部に一致しない場合（Ｓ１０６：ＮＯ）、処理はＳ１１１の判断へ移行する。
【０１１１】
次いで、リトライ動作を実行する時間を確保できるかが判断される（Ｓ１１１）。この処理では、この時点においてＲＡＭ５８２に記憶されているタイマカウンタが示す特定報知演出の演出時間の残り時間である演出残り時間が特定される。リトライ動作が実行された場合には、停止表示部を選択する位置に指示体３６を移動させるため、指示体駆動処理（図１８参照）が再度行われる。したがって、Ｓ１１１では、リトライ動作に必要な時間と、指示体駆動処理の実行の必要な時間とを合計した時間が、演出残り時間よりも長いか否かが判断される。
【０１１２】
リトライ動作を実行する時間を確保できる場合（Ｓ１１１：ＹＥＳ）、リトライ動作が開始される（Ｓ１１２）。リトライ動作は、指示体３６の駆動に生じているエラー状態の解消を図るため、特定報知演出において指示体３６が回転する方向とは反対の方向に指示体３６を所定量回転させることで行われる。本実施形態では、リトライ動作として、指示体３６を反時計回りに９０度回転させるため、駆動モータ３１Ｍが１４４ステップ分のＣＷ駆動を開始する。ＣＰＵ５８１は、駆動モータ３１Ｍに１４４パルスのパルス信号を送信する。
【０１１３】
次いで、リトライ動作が行われた回数を計数するためにＲＡＭ５８２に設けられたリトライカウンタに「１」が加算される（Ｓ１１３）。次いで、リトライカウンタの値が所定の閾値以上であるかが判断される（Ｓ１１５）。本実施形態では、リトライ動作を最大５回行うこととしている。したがって、リトライカウンタの値に対して設けられる所定の閾値は「５」である。この閾値は任意に設けられてもよいし、閾値が設けられなくてもよい。リトライカウンタの値が所定の閾値未満の場合（Ｓ１１５：ＮＯ）、指示体駆動処理が再度実行される（Ｓ１１９）。処理はサブ制御基板処理へ戻る。
【０１１４】
一方、リトライ動作を実行する時間を確保できない場合（Ｓ１１１：ＮＯ）又はリトライカウンタの値が所定の閾値以上の場合（Ｓ１１５：ＹＥＳ）、ルーレット表示器３０の表示部Ｈにおける表示内容が、正常な状態の内容（絵柄が表示されている内容）からエラー状態中の表示内容に変更される（Ｓ１１６）。本実施形態では、エラー状態中の表示部Ｈには、第一絵柄及び第二絵柄のいずれも表示されない。ＣＰＵ５８１は、第一基板３３ＡにおけるＬＥＤ３３１の発光動作を全て停止して消灯状態にすることによって、表示部Ｈのいずれにも絵柄が表示されない状態を構成する。これにより、指示体３６が停止表示部とは異なる表示部Ｈを予期せず選択している場合であっても、表示部Ｈに絵柄が表示されないので、遊技者が遊技の結果を誤認することを回避できる。また、全ての表示部Ｈに絵柄が表示されなくなるので、パチンコ機１は、遊技者の注目をルーレット表示器３０からそらすことができる。
【０１１５】
本実施形態では、特定報知演出の実行中に下降位置（図４参照）に配置される７セグ表示器２８において演出図柄の変動表示が継続して行われ、特定報知演出の終了に伴い大当たり判定による判定の結果を示す組合せで演出図柄が確定表示される。したがって、特定報知演出においてルーレット表示器３０の使用が中断されても、遊技の結果が遊技者に誤認されることがない。また、遊技者は、消灯しているルーレット表示器３０よりも、演出図柄が変動表示を継続する７セグ表示器２８に注目しやすくなる。その後、駆動モータ３１ＭのＣＷ駆動が終了される（Ｓ１１８）。本実施形態では、ルーレット表示器３０における表示部Ｈの表示内容がエラー状態中の内容に変更された後に、駆動モータ３１Ｍが駆動を停止する。このため、パチンコ機１は、指示体３６が表示部Ｈのうちいずれを選択して停止した場合であっても、指示体３６が停止する位置によって遊技の結果が遊技者に誤認される可能性を低減できる。また、リトライ動作における指示体３６の動作と、本来の特定報知演出における指示体３６の動作とが見分けがつかない場合、リトライ動作において指示体３６が指示する表示部Ｈに表示される絵柄の内容が遊技の結果であると、遊技者が誤認する可能性がある。パチンコ機１は、リトライ動作の繰り返し回数が所定の回数以上になった場合にも、表示部Ｈの表示内容をエラー状態中の内容に変更した後に駆動モータ３１Ｍの駆動を停止させることで、指示体３６の動作を終了させる。これにより、パチンコ機１は、リトライ動作の実行に起因する遊技の結果の誤認が生じることを回避できる。その後、処理はサブ制御基板処理へ戻る。
【０１１６】
図１６の説明に戻る。次いで、主基板４１から特別図柄停止コマンドを受信したかが判断される（Ｓ５１）。特別図柄停止コマンドを受信していない場合（Ｓ５１：ＮＯ）、処理はＳ３１の判断へ戻る。特別図柄停止コマンドを受信した場合（Ｓ５１：ＹＥＳ）、７セグ表示器２８において演出図柄が大当たり判定の結果を示す組合せで確定表示される（Ｓ５２）。また、ルーレット表示器３０における表示部Ｈに表示される絵柄も確定表示される。なお、Ｓ１１６（図２０参照）の処理によってルーレット表示器３０の表示部Ｈが、正常な状態のときとは異なるエラー状態中の表示内容にされている場合には、エラー状態中の表示内容がそのまま継続される。次いで、特定報知演出中フラグが「ＯＮ」であれば「ＯＦＦ」になり（Ｓ５３）、処理はＳ３１の判断へ戻る。
【０１１７】
以上説明したように、パチンコ機１は、ルーレット表示器３０を用いた特定報知演出を実行する。特定報知演出は、ルーレット表示器３０の表示部Ｈのそれぞれに絵柄を表示し、指示体３６が表示体３５の前面側を回転移動した後いずれかの表示部Ｈを選択する動作を行うことによって、大当たり判定の結果を報知する。表示部Ｈの絵柄の表示は、ルーレット表示器３０の第一基板３３Ａに搭載されたＬＥＤ３３１の発光に応じて行われる。特定保報知演出の実行中に指示体３６の動作に何らかの不具合（エラー）が生じた場合には（Ｓ９１：ＹＥＳ）、ルーレット表示器３０の表示部Ｈにおける表示内容が、正常な状態の内容（絵柄が表示されている内容）からエラー状態中の表示内容に変更される（Ｓ１１６）。エラー状態中の表示部Ｈには、第一絵柄及び第二絵柄のいずれも表示されない。これにより、パチンコ機１は、エラーにより予期せぬ表示部Ｈを選択した状態で指示体３６が停止したような場合であっても、遊技者が遊技の結果を誤認することを回避できる。
【０１１８】
ＣＰＵ５８１は、第一基板３３ＡにおけるＬＥＤ３３１の発光動作を全て停止して消灯状態にすることによって、表示部Ｈのいずれにも絵柄が表示されない状態を構成する。これにより、指示体３６が停止表示部とは異なる表示部Ｈを予期せず選択している場合であっても、表示部Ｈに絵柄が表示されないので、パチンコ機１は、遊技者が遊技の結果を誤認することを回避し、遊技者の注目をルーレット表示器３０からそらすことができる。
【０１１９】
ＣＰＵ５８１は、ルーレット表示器３０の表示部Ｈにおける表示内容を、正常な状態の内容（絵柄が表示されている内容）からエラー状態中の表示内容に変更した後に（Ｓ１１６）、駆動モータ３１Ｍの駆動が終了させる（Ｓ１１８）。このため、パチンコ機１は、指示体３６が表示部Ｈのうちいずれを選択して停止した場合であっても、指示体３６が停止する位置によって遊技の結果が遊技者に誤認される可能性を低減できる。
【０１２０】
パチンコ機１は、指示体３６の動作にエラーが生じた場合には、駆動モータ３１Ｍを所定量ＣＷ駆動させることによるリトライ動作を実行する。リトライ動作における指示体３６の動作と、本来の特定報知演出における指示体３６の動作とが見分けがつかず、遊技者に遊技の結果を誤認する可能性がある。パチンコ機１は、リトライ動作の繰り返し回数が所定の回数以上になった場合にも、表示部Ｈの表示内容をエラー状態中の内容に変更した後に駆動モータ３１Ｍの駆動を停止させることで、指示体３６の動作を終了させる。これにより、パチンコ機１は、リトライ動作の実行に起因する遊技の結果の誤認が生じることを回避できる。
【０１２１】
上記実施形態において、図１５のＳ２４で大当たり判定を実行する主基板４１のＣＰＵ５１が、本発明の「判定手段」として機能する。ＬＥＤ３３１が、本発明の「発光体」に相当する。指示体３６が、本発明の「可動物」に相当する。ルーレット表示器３０が、本発明の「報知演出実行手段」に相当する。図１７のＳ６２、Ｓ６５及び図１８のＳ７１、Ｓ８６、Ｓ８８の処理を実行するサブ制御基板５８のＣＰＵ５８１が、本発明の「報知演出制御手段」として機能する。図１９のＳ９１の判断を実行するサブ制御基板５８のＣＰＵ５８１が、本発明の「駆動判断手段」として機能する。図２０のＳ１１６の処理を実行するサブ制御基板５８のＣＰＵ５８１が、本発明の「発光変更手段」として機能する。図２０のＳ１１８の処理を実行するサブ制御基板５８のＣＰＵ５８１が、本発明の「駆動停止手段」として機能する。検知センサ３２が、本発明の「検出部」に相当する。図２０のＳ１１２の処理を実行するサブ制御基板５８のＣＰＵ５８１が、本発明の「特定動作実行手段」として機能する。
【０１２２】
本発明は、以上詳述した実施形態に限定されるものではなく、本発明の要旨を逸脱しない範囲内において種々の変更が可能である。表示体３５は、円形に限られず、任意の形状を採ってもよい。したがって、表示部Ｈは、円周方向に並んで配置される他、一方から他方に延びる直線に沿った方向に並んで配置されてもよい。この場合、指示体３６は、回転駆動ではなく、表示体３５の前側を一方又はと他方に向けて直線的に移動するものであってもよい。
【０１２３】
表示部Ｈは二色シート及びＬＥＤ３３１の発光色によって絵柄を表示するものに限られず、ＬＣＤ、有機ＥＬ等による表示画面であってもよいし、ドットマトリクスＬＥＤ等によって構成されていてもよい。複数の表示部Ｈのそれぞれが独立した表示部である必要はない。例えば、一つの表示画面が複数に分割された領域の一つひとつが、複数の表示部Ｈとして機能してもよい。
【０１２４】
Ｓ１０６の判断によって、特定表示部が停止表示部に一致しないと判断された場合（Ｓ１０６：ＮＯ）、リトライ動作を実行するか否かについての判断を行わずに、ルーレット表示器３０の表示内容を正常状態のものからエラー状態中のものに変更してもよい。エラー状態中の表示部Ｈは、絵柄を何も表示しない態様の他、「エラー」、「ＮＧ」等の文言を示す絵柄等、指示体３６の動作等がエラー状態であることを示唆する内容の絵柄を表示してもよい。正常状態に表示されている絵柄を点滅させること等によって、正常状態とエラー状態との表示内容が変更されてもよい。表示体３５として前述の表示画面を採用する場合には、ＬＣＤのバックライトを消灯すること等によって、指示体３６の動作等がエラー状態であることが示唆されてもよい。すなわち、ＬＣＤのバックライトに用いられるＬＥＤ等の光源が、本発明の表示体が備える「発光体」として機能してもよい。
【０１２５】
指示体３６の形状は、表示部Ｈのそれぞれを囲む形状に限られず、表示部Ｈのそれぞれを指し示すことが可能な、時計の針のような形状であってもよい。
【０１２６】
リトライ動作は、指示体３６をそれまで駆動させていた方向とは反対の方向に駆動させることに限られず、駆動のトルク及び速度等を変更して指示体３６をそれまでと同じ方向に駆動させる動作であってもよい。また、リトライ動作は、指示体３６を、それまで駆動させていた方向及びその方向とは反対の方向に交互に駆動させる動作であってもよい。また、駆動モータ３１Ｍに替えて、ロータリーソレノイド等の他の駆動源が採用されてもよい。
【０１２７】
請求項、明細書及び図面に記載される全ての要素（例えば、表示部Ｈ等）は、個数を意識的に限定する明確な記載がない限り、物理的に単一であっても複数であっても構わないし、適宜配置の変更が行われても構わない。また、前記要素につけられた名称（要素名）は、単に本件の記載のために便宜上付与したにすぎないものであり、それによって特別な意味が生じることを特に意識したものではない。従って、要素名のみによって要素が何であるかが限定解釈されるものではない。例えば、「表示部Ｈ」は、ハード単体でも、ソフトを含んだものであっても構わない。更には、上記全ての要素のうちの複数の要素を適宜一体的に構成するか、もしくはひとつの要素を複数の要素に分けて構成するかは、何れも当業者であれば容易に考えられる事項であり、敢えて明細書等において全パターンを記載しなくても何れのパターンも想定範囲内であることは明らかであることから、特許請求の範囲等においてそれらを明確に除外している旨の記載がない限りは、それら全てについて本発明に係る権利範囲に含まれることは言うまでもない。従って、その程度の範囲内での構成上の差異を、本実施例に記載がなされていないことを理由に遊技機に採用することのみでは、本発明に係る権利を回避したことにはあたらない。その他、各要素の構成や形状等における、本実施例から当業者であれば容易に考えられる自明な範囲の差異についても同様である。
【符号の説明】
【０１２８】
１    パチンコ機
３１Ｍ    駆動モータ
３２    検知センサ
３５    表示体
３６    指示体
４１    主基板
５８    サブ制御基板
３２１    上センサ
３２２    右センサ
３２３    下センサ
３２４    左センサ
３６４    遮蔽部
５１，５８１    ＣＰＵ
Ｈ    表示部
Ｈａ    第一表示部
Ｈｂ    第二表示部
Ｈｃ    第三表示部
Ｈｄ    第四表示部
Ｈｅ    第五表示部
Ｈｆ    第六表示部
Ｈｇ    第七表示部
Ｈｈ    第八表示部
【図１】
2020089434.tif 000003
【図２】
2020089434.tif 000004
【図３】
2020089434.tif 000005
【図４】
2020089434.tif 000006
【図５】
2020089434.tif 000007
【図６】
2020089434.tif 000008
【図７】
2020089434.tif 000009
【図８】
2020089434.tif 000010
【図９】
2020089434.tif 000011
【図１０】
2020089434.tif 000012
【図１１】
2020089434.tif 000013
【図１２】
2020089434.tif 000014
【図１３】
2020089434.tif 000015
【図１４】
2020089434.tif 000016
【図１５】
2020089434.tif 000017
【図１６】
2020089434.tif 000018
【図１７】
2020089434.tif 000019
【図１８】
2020089434.tif 000020
【図１９】
2020089434.tif 000021
【図２０】
2020089434.tif 000022